(57)【要約】      （修正有）【課題】真円度を高めた真空カップを提供する。【解決手段】真空カップは、外殻１、内容器２、真空底部６、内容器底部７、内支持リング４、底部シート５からなり、円弧状の底部を有する。外殻の口と内容器の口、内容器底部と内容器の底が溶接され、真空底部は外殻の底に溶接されている。真空底部の下端は円弧状で、内支持リングは外殻の内側にあり、外殻と真空底部の接合部にある。真空底部にはステップ溝があり、底部シートの端とステップ溝の端を溶接して、密閉されたキャビティを形成する。真空チャンバー３は、断熱・保温機能を備えており、内支持リングにより、外殻の真円度を高め、常に外殻と真空底部を支え、真空カップの真円度の欠如を克服する。ステップ溝は真空底部の強度を高め、真空カップの底の外観の一貫性と平坦性を向上させる。底部シートとステップ溝の間に密封された空洞が形成され、二重のシール効果を達成する。【選択図】図１
0003233295.tif 000002
【実用新案登録請求の範囲】
【請求項１】
外殻（1）、内容器（2）、真空底（6）、内容器底（7）、外容器（1）、および内側容器
（２）間に真空チャンバー（３）が設けられ、外側シェル（１）の口が内側容器（２）の
口に溶接され、内側容器底部（７）が底部に溶接されている。内容器（２）の真空底部（
６）はハウジング（１）の底部に溶接されており、真空底部（６）の下端は円弧状であり
、以下を含むことを特徴とする。内側支持リング（４）および底部シート（５）、内側支
持リング（４）は、ハウジング（１）の内側に位置し、ハウジング（１）と真空底部（６
）との接合部に配置され、真空底部（６）にはステップ溝（６１）が設けられており、底
部シート（５）の端部とステップ溝（６１）の端部が溶接されて密閉空洞（６２）を形成
している。
【請求項２】
ステップ溝（６１）は、第１のステップ（６３）および第２のステップ（６４）、ならび
に第１のステップ（６３）および第２のステップ（６３）を備えている、請求項１に記載
の弧状の底部を有する真空カップ。ステップ（６４）は、ステップ溝（６１）上に設けら
れている。補強リブ（６５）は、ステップ（６３）と第２のステップ（６４）との間に配
置され、第１のステップ（６３）は、第２のステップ（６4）よりも低い。 
【請求項３】
前記ゲッター（６６）をさらに含み、前記ゲッター（６６）が前記第２のステップ（６４
）の内側に固定されることを特徴とする、請求項２に記載の湾曲した底部を有する真空カ
ップ。
【請求項４】
前記シール要素（６７）をさらに含み、前記第２のステップ（６４）は、前記弧状の真空
穴（６８）を備えていることを特徴とする、請求項２に記載の弧状の底部を有する真空カ
ップ。溝（６９）、真空穴（６８）は弧状溝（６９）の上部に位置し、弧状溝（６９）は
シール（６７）および真空穴（６８）と一致している。閉じています。
【請求項５】
真空底部（６）の下端の曲率半径が１０〜３０ｍｍである、請求項１に記載の弧状の底部
を有する真空カップ。
【請求項６】
真空底部（６）の上端が真っ直ぐな側であり、真っ直ぐな側の高さが１．５〜１５ｍｍで
ある、請求項１に記載の弧状の底部を有する真空カップ。
【請求項７】
前記内側支持リング（４）の厚さが１から３ｍｍである、請求項１に記載の弧状の底部を
有する真空カップ。
【請求項８】
前記内側支持リング（４）と真空底部（６）の縁との間および外側シェル（１）との間で
溶接されることを特徴とする、請求項１に記載の弧状の底部を有する真空カップを溶接。
【請求項９】
前記内側容器（２）、前記外側シェル（１）、前記内側容器底部（７）、および真空底部
（６）を特徴とする、請求項１に記載の弧状の底部を有する真空カップ。 、インナーサ
ポートリング（4）、ボトムシート（5）はすべてチタン製です。
【考案の詳細な説明】
【技術分野】
【０００１】
実用新案は、真空カップ、特に底が弧状の真空カップに関連しています。
【背景技術】
【０００２】
チタン金属の二重層構造を有する真空カップは、優れた耐食性、抗菌性、および保温性を
有し、したがって消費者に深く愛されている。しかし、既存の真空カップ製造プロセスで
は、真空底部が湾曲している、真円度の問題は結晶化または溶接プロセス中に発生する可
能性があり、真空底のアークが大きいほど、カップの溶接精度に影響を与える真円度の問
題がより重大になります本体と真空底、そして最終的に真空底の一貫性と平坦度に影響を
与えます。
【考案の概要】
【０００３】
結晶化または溶接プロセス中の真円度のずれなど、不均一な外観をもたらす従来技術の真
空カップの欠陥を狙って、実用新案は、湾曲した底部を備えた新しい真空カップを提供す
る。
【０００４】
上記の技術的問題を解決するために、本実用新案は、以下の技術的解決策を通じて実施さ
れる。
【０００５】
弧状の底部真空カップは、外殻、内ライナー、真空底部、および内ライナー底部を含む。
外殻と内ライナーとの間に真空空洞が設けられ、アウターシェルはインナーライナーに接
続されています。オリフィス溶接、ライナーの底部はライナーの底部に溶接され、真空底
部の底部はシェルの底部に溶接され、真空底部の下端はアークです形状であり、内部支持
リングと底部シートも含まれているため、内部支持リングはハウジングの内側に配置され
、ハウジングと真空底部の接合部に配置され、真空底部にはステップ溝があり、ボトムシ
ートの端がステップ溝の端と溶接されて形成されています。キャビティをシールします。
【０００６】
上記の弧状底部真空カップ構造において、真空チャンバーは、断熱および保温の機能を有
し、内部支持リングは、シェルと真空底部との接合部に設置され、以下のことができる。
シェルのエッジにぴったりと合わせてシェルの真円度を高め、ハウジングと内部サポート
リングが結晶化したときに、内部サポートリングが常に外部カバーと真空底をサポートで
きるため、外部の問題を克服できます。先行技術における真空カップ結晶化または真空底
部処理における真円度。ステップ溝は真空底の強度を高めることができます。フィルムの
端とステップ溝の端を完全に溶接して、真空カップの底の一貫性と平坦性を向上させるこ
とができます。フィルムの間に密閉された空洞が形成されます。真空キャビティを2回シ
ールできるステップ溝により、真空チャンバーの気密性を高めます。
【０００７】
優先としては、弧状の底部を有する前述の真空カップでは、第１のステップおよび第２の
ステップがステップ溝に提供され、第１のステップと第２のステップとの間に補強が提供
される。リブ、第１のステップ2番目のステップよりも低いです。
【０００８】
第１のステップは、第２のステップよりも低く、これにより、ステップ溝と底部シートと
の間の接触面積を減らすことができる。補強材は、第１のステップと第２のステップを接
続するのに役立つだけでなく、ステップ溝も増強できます。
【０００９】
優先としては、湾曲した底部を有する前述の真空カップは、ゲッターをさらに含み、ゲッ
ターは、第２のステップの内側に固定される。
【００１０】
ゲッターは、ガスを吸収し、真空を維持する機能を有する。スポット溶接によって残され
た溶接痕跡が外部に露出するのを防ぐために、第２のステップの内側にゲッターを固定す
るためにスポット溶接を使用することが好ましい。外観に影響を与えます。
【００１１】
優先としては、弧状の底部を有する上記の真空カップは、シール要素をさらに含み、真空
穴および弧状の溝が第２のステップに提供され、真空穴は、弧に配置される。成形溝の上
部にある円弧形状の溝は、シール部材と一致し、真空穴を閉じます。
シール要素は、真空穴を塞ぐ効果があり、弧状の溝がシール要素と協働して、シール効果
を高める。
【００１２】
優先としては、弧状の底部を有する前述の真空カップにおいて、真空底部の下端の曲率半
径は、１０〜３０ｍｍである。
実用新案は、大きなアーク真空底部を使用し、カップ本体全体がより高い真円度を維持す
ることができ、真空カップをより滑らかにする。
【００１３】
優先としては、弧状の底部を有する前述の真空カップにおいて、真空底部の上端は真っ直
ぐな側面であり、真っ直ぐな側面の高さは１．５から１５ｍｍである。
【００１４】
真っ直ぐな側は、真空底部を外側シェルおよび内側支持リングとよりよく一致させること
ができ、その後の溶接プロセスで丸い形状を失うことは容易ではないので、真空カップの
全体的な外観はより一貫している。
【００１５】
優先としては、弧状の底部を有する前述の真空カップにおいて、内側支持リングは、１か
ら３ｍｍの厚さを有する。
【００１６】
内側支持リングは、外殻および真空底部を支持する機能を有し、外殻および真空底部のマ
ッチングプロセスにおいて案内的役割を果たす。内側支持リングは、１から３ｍｍの厚さ
を有する。、それ自体の強さを確保することができます。
【００１７】
優先としては、弧状の底部を有する前述の真空カップにおいて、内側支持リングは、溶接
によって真空底部の縁および外殻の縁に溶接される。
【００１８】
溶接プロセス中、内側支持リングは高温によって加熱されて拡散効果を生み出し、その結
果、内側支持リングと外側シェルは全体として互いに接着し、最後に真空下端と外殻の縁
は完全にしっかりと溶接されており、真空カップの強度をさらに高めています。好ましく
は、弧状の底部を有する上記の真空カップ、内部容器の材料、外部シェル、内部容器の底
部、真空底部、内部支持リング、および底部シートはすべてチタンである。
【００１９】
実用新案全体はチタン金属材料でできており、真空カップに優れた保温性能を持たせるこ
とができ、同じ材料の溶接性能が向上し、真空カップの強度が向上する。
【図面の簡単な説明】
【００２０】
【図１】実用新案の構造の概略図である。
【図２】実用新案の真空底部および底部シートの構造の概略図である。
【考案を実施するための形態】
【００２１】
以下は、添付の図面１〜２および特定の実施形態を参照して実用新案をさらに詳細に説明
するが、それらは実用新案の限定ではない。
【００２２】
実施例1
弧状の底部を有する真空カップは、外殻１、内ライナー２、真空底部６、および内ライナ
ー底部７を含む。外殻１と内ライナーとの間に真空チャンバー３が設けられている。図２
に示され、外殻１の口がライナー２の口に溶接され、ライナー底部７がライナー２の底部
に溶接され、真空底部６がシェル１の底部に溶接され、真空底部６縁は弧状であり、内部
支持リング４および底部シート５も含む。内部支持リング４は、ハウジング１の内側であ
り、ハウジング１と真空底部６との接合部に位置する。真空底部６ステップ溝６１がその
上に設けられ、底部シート５の縁部とステップ溝６１の縁部が溶接されて密閉空洞６２を
形成している。
底が弧状の真空カップを作るときは、まず内側容器の底7を内側容器2の底に溶接し、次に
外側ケーシング1の口と内側容器2の口を溶接してaを形成します。真空カップの二層構造
、次に内部支持リング４の一部がシェル１の縁に押し込まれて固定され、真空底部６が衝
突するまで内部支持リング４の外径に沿って押し込まれる。シェル１の端部とシェル１の
接合部と真空底部６の接合部を溶接し、最後にフィルム５の端部とステップ溝６１の端部
を合わせて取り付け、フィルム５そして、ステップ溝６１はスポット溶接によって完全に
溶接され、最後に、シールされた空洞６２がフィルム５とステップ溝６１との間に形成さ
れる。
【００２３】
優先としては、ステップ溝６１は、第１のステップ６３および第２のステップ６４を備え
、補強リブ６５は、第１のステップ６３と第２のステップ６４との間に提供され、第１の
ステップ６３は、第２のステップ64よりも低い。
【００２４】
優先として、ゲッター６６がさらに含まれ、ゲッター６６は、第２のステップ６４の内側
に固定される。
【００２５】
優先としては、それは、シーリング要素６７をさらに含み、第２のステップ６４は、真空
穴６８および弧状の溝６９を備え、真空穴６８は、弧状の溝６９の上部に配置される。そ
のため、円弧状の溝６９は、シール部材６７と協働して、真空穴６８を閉じる。
【００２６】
優先としては、真空底部６の下端の曲率半径は、１０〜３０ｍｍである。
【００２７】
優先としては、真空底部６の上端は真っ直ぐな側であり、真っ直ぐな側の高さは１．５〜
１５ｍｍである。
【００２８】
優先としては、内側支持リング４の厚さは、１から３ｍｍである。
【００２９】
優先としては、内側支持リング４と真空底部６の縁部および外殻１の縁部は、溶接によっ
て一緒に溶接される。
【００３０】
優先としては、内側ライナー２、外側シェル１、内側ライナー底部７、真空底部６、内側
支持リング４、および底部シート５の材料はすべてチタン金属である。
【００３１】
具体的には、アウターシェル１とインナーライナー２の二重層構造が形成された後、イン
ナーライナー底部７がインナーライナー２の底部に溶接され、インナーライナー２の底部
が閉じられる。次に、内側支持リング４の一部がハウジング１に押し込まれ、内側支持リ
ング４が摩擦によりハウジング１の端部に固定され、次に真空底部６の真っ直ぐな端部が
それに沿って押し込まれる。内側支持リング４の外径は、ハウジング１の縁と衝突するま
で、次にハウジング１と真空底部６とが溶接される。チタンは高温環境で拡散しやすいの
で、内側支持体はリング4とチタン製シェル1が全体的に密着し、最終的に真空底6とシェ
ル1の端が完全に溶接され、真空カップの強度がさらに向上し、内側支持リング４は、溶
接後の真空底部６とハウジング１との間の接合部の陥没または変形を回避するために常に
丸い役割を果たす。内側支持リング４の支持の下で、１０〜３０ｍｍの大きな弧を有する
真空底部６は、依然として比較的高い真円度を確保することができ、これは、真空カップ
の処理中の真円度の問題を克服する。従来技術における弧状の底。最後に、底部シート５
の縁部に第１のステップ６３を取り付け、底部シート５および第１のステップ６３をスポ
ット溶接によって完全に溶接して、密封空洞６２を形成する。シール６７および弧状溝６
９シールに使用することができる真空穴６８の機能により、底部シート５が第１のステッ
プ６３に溶接され、これは二重のシール効果を達成することができる。
要するに、上記の説明は、本実用新案の好ましい実施形態であり、本実用新案の特許出願
の範囲である。加えられた同等の変更と修正はすべて、現在の実用新案の範囲内にあるは
ずです。
【図１】
0003233295.tif 000003
【図２】
0003233295.tif 000004
【手続補正書】
【提出日】令和3年4月15日(2021.4.15)
【手続補正１】
【補正対象書類名】実用新案登録請求の範囲
【補正対象項目名】全文
【補正方法】変更
【補正の内容】
【実用新案登録請求の範囲】
【請求項１】
外殻、内容器、真空底、内容器底、外容器、および内側容器間に真空チャンバーが設けら
れ、外側シェルの口が内側容器の口に溶接され、内側容器底部が底部に溶接されており、
内容器の真空底部はハウジングの底部に溶接されており、真空底部の下端は円弧状であり
、内側支持リングおよび底部シートは、ハウジングの内側に位置し、ハウジングと真空底
部との接合部に配置され、真空底部にはステップ溝が設けられており、底部シートの端部
とステップ溝の端部が溶接されて密閉空洞を形成している、底が弧状の真空カップ。
【請求項２】
ステップ溝は、第１のステップおよび第２のステップを備えており、ステップは、ステッ
プ溝上に設けられており、補強リブは、ステップと第２のステップとの間に配置され、第
１のステップは、第２のステップよりも低い、請求項１に記載の真空カップ。 
【請求項３】
ゲッターをさらに含み、前記ゲッターが前記第２のステップの内側に固定される、請求項
２に記載の真空カップ。
【請求項４】
シール要素をさらに含み、前記第２のステップは、前記弧状の真空穴を備えており、真空
穴は弧状溝の上部に位置し、弧状溝はシールおよび真空穴と一致している、請求項２に記
載の真空カップ。
【請求項５】
真空底部の下端の曲率半径が１０〜３０ｍｍである、請求項１に記載の真空カップ。
【請求項６】
真空底部の上端が真っ直ぐな側であり、真っ直ぐな側の高さが１．５〜１５ｍｍである、
請求項１に記載の真空カップ。
【請求項７】
前記内側支持リングの厚さが１から３ｍｍである、請求項１に記載の真空カップ。
【請求項８】
前記内側支持リングと真空底部の縁との間および外側シェルとの間で溶接される、請求項
１に記載の真空カップを溶接。
【請求項９】
前記内側容器、前記外側シェル、前記内側容器底部、真空底部、インナーサポートリング
、及びボトムシートはすべてチタン製である、請求項１に記載の弧状の底部を有する真空
カップ。
【手続補正書】
【提出日】令和3年5月27日(2021.5.27)
【手続補正１】
【補正対象書類名】実用新案登録請求の範囲
【補正対象項目名】全文
【補正方法】変更
【補正の内容】
【実用新案登録請求の範囲】
【請求項１】
外殻、内容器、真空底、内容器底、外容器、および内側容器間に真空チャンバーが設けら
れ、外側シェルの口が内側容器の口に溶接され、内側容器底部が底部に溶接されており、
内容器の真空底部はハウジングの底部に溶接されており、真空底部の下端は円弧状であり
、内側支持リングおよび底部シートは、ハウジングの内側に位置し、ハウジングと真空底
部との接合部に配置され、真空底部にはステップ溝が設けられており、底部シートの端部
とステップ溝の端部が溶接されて密閉空洞を形成している、底が弧状の真空カップ。
【請求項２】
ステップ溝は、第１のステップおよび第２のステップを備えており、ステップは、ステッ
プ溝上に設けられており、補強リブは、ステップと第２のステップとの間に配置され、第
１のステップは、第２のステップよりも低い、請求項１に記載の真空カップ。 
【請求項３】
ゲッターをさらに含み、前記ゲッターが前記第２のステップの内側に固定される、請求項
２に記載の真空カップ。
【請求項４】
シール要素をさらに含み、前記第２のステップは、前記弧状の真空穴を備えており、真空
穴は弧状溝の上部に位置し、弧状溝はシールおよび真空穴と一致している、請求項２に記
載の真空カップ。
【請求項５】
真空底部の下端の曲率半径が１０〜３０ｍｍである、請求項１に記載の真空カップ。
【請求項６】
真空底部の上端が真っ直ぐな側であり、真っ直ぐな側の高さが１．５〜１５ｍｍである、
請求項１に記載の真空カップ。
【請求項７】
前記内側支持リングの厚さが１から３ｍｍである、請求項１に記載の真空カップ。
【請求項８】
前記内側支持リングと真空底部の縁との間および外側シェルとの間で溶接される、請求項
１に記載の真空カップ。
【請求項９】
前記内側容器、前記外側シェル、前記内側容器底部、真空底部、インナーサポートリング
、及びボトムシートはすべてチタン製である、請求項１に記載の弧状の底部を有する真空
カップ。